(57)【特許請求の範囲】
【請求項１】
電子部品と、前記電子部品に接続される端子と、前記端子及び前記電子部品を保持するホルダと、前記端子及び前記電子部品を保持した前記ホルダが挿入されるハウジングとを備え、
前記端子には、前記ハウジングに内側から当接して前記ハウジング内における前記ホルダの傾きを矯正する矯正部が設けられていることを特徴とするコネクタ。
【請求項２】
前記矯正部が、前記端子の本体部分から突出する弾性変形可能な形態であることを特徴とする請求項１記載のコネクタ。
【請求項３】
前記ハウジングには、前記電子部品が挿通される挿通孔が設けられ、且つ前記挿通孔が位置する側の壁面と前記ホルダとの間に隙間が設けられ、
前記矯正部が、前記挿通孔が位置する側の壁面に当接するように構成されていることを特徴とする請求項１又は２記載のコネクタ。
【請求項４】
前記矯正部が、前記ハウジングの前記壁面のうち前記挿通孔を挟んだ両側部分に対をなして設けられていることを特徴とする請求項３記載のコネクタ。
【発明の詳細な説明】
【技術分野】
【０００１】
本発明は、コネクタに関する。
【背景技術】
【０００２】
特許文献１には、コンデンサなどの電子部品を内蔵したコネクタが開示されている。コンデンサは、ホルダに保持され、同じくホルダに保持されたバスバー片に抵抗溶接で接続される。バスバー片とコンデンサを保持したホルダは、袋状のハウジングに挿入される。バスバー片には、ホルダ圧入部とハウジング圧入部が設けられている。ホルダ圧入部とハウジング圧入部がそれぞれホルダとハウジングに圧入されることで、バスバー片を介して、ホルダがハウジングに保持されるようになっている。
【先行技術文献】
【特許文献】
【０００３】
【特許文献１】特開２０１４−１７０７２５号公報
【発明の概要】
【発明が解決しようとする課題】
【０００４】
ところで、仮に、ホルダが正規の挿入姿勢から傾いた姿勢をとってハウジングに挿入されると、ハウジング圧入部がハウジングに対して斜め方向に圧入され、ハウジングに対してホルダが傾いた姿勢のまま保持されるおそれがあった。そして、ホルダに傾きが生じると、相手側端子に対するバスバー片のアライメントが製品毎にばらついてしまい、品質を一定に維持するのが困難になる懸念があった。
【０００５】
本発明は上記のような事情に基づいて完成されたものであって、ハウジングにホルダを安定して保持することができ、品質を向上させることができるコネクタを提供することを目的とする。
【課題を解決するための手段】
【０００６】
本発明のコネクタは、電子部品と、前記電子部品に接続される端子と、前記端子及び前記電子部品を保持するホルダと、前記端子及び前記電子部品を保持した前記ホルダが挿入されるハウジングとを備え、前記端子には、前記ハウジングに内側から当接して前記ハウジング内における前記ホルダの傾きを矯正する矯正部が設けられているところに特徴を有する。
【発明の効果】
【０００７】
ホルダがハウジングに挿入されると、端子の矯正部がハウジングに内側から当接してハウジング内におけるホルダの傾きが矯正されるため、ハウジングにホルダを正規姿勢で安定して保持させることができる。その結果、相手側端子に対する端子のアライメントのばらつきが抑えられ、品質を向上させることができる。また、矯正部が端子に設けられていてハウジングに内側から当接するため、ホルダ及びハウジングを従来の構造から実質的に変更する必要がない。
【図面の簡単な説明】
【０００８】
【図１】本発明の実施例に係るコネクタの正面図である。
【図２】コネクタの側面視方向の断面図である。
【図３】コネクタの平面視方向の断面図である。
【図４】端子、電子部品及びホルダからなるサブアッセンブリの側面図である。
【図５】同じくサブアッセンブリの平面図である。
【図６】同じくサブアッセンブリの正面図である。
【図７】ハウジングの平面視方向の断面図である。
【発明を実施するための形態】
【０００９】
本発明の好ましい実施形態を以下に示す。
前記矯正部が、前記端子の本体部分から突出する弾性変形可能な形態である。これによれば、矯正部が弾性変形することで端子とハウジングとの間の組み付け誤差を吸収することができる。
【００１０】
前記ハウジングには、前記電子部品が挿通される挿通孔が設けられ、且つ前記挿通孔が位置する側の壁面と前記ホルダとの間に隙間が設けられ、前記矯正部が、前記挿通孔が位置する側の壁面に当接するように構成されている。ハウジングに挿通孔が設けられることで、挿通孔が位置する側にホルダの傾きが誘導される懸念があるものの、本構成の場合、挿通孔が位置する側の壁面に矯正部が当接するため、懸念されるホルダの傾きを効果的に抑えることができる。
【００１１】
前記矯正部が、前記ハウジングの前記壁面のうち前記挿通孔を挟んだ両側部分に対をなして設けられている。これにより、ハウジング内におけるホルダの傾きをバランス良く抑えることができる。
【００１２】
＜実施例＞
以下、実施例を図１〜図７によって説明する。実施例に係るコネクタは、自動車に搭載された電気機器などのノイズを除去するコネクタを例示するものであって、ハウジング１０、ホルダ３０、端子５０Ａ、５０Ｂ、及びノイズフィルタとなる電子部品としてのコンデンサ７０を備えている。端子５０Ａ、５０Ｂとコンデンサ７０はホルダ３０に保持されてサブアッセンブリ１００を構成し（図４〜図６を参照）、その後、サブアッセンブリ１００がハウジング１０に収容されるようになっている（図１〜図３を参照）。なお、以下の説明において、前後方向については、ハウジング１０が図３に示す相手側ハウジング９０と嵌合する面側を前側とし、上下方向については、図１、図２、図４及び図６を基準とする。また、左右方向については、図１、図３及び図５〜図７を基準とする。
【００１３】
ハウジング１０は合成樹脂製であって、図７に示すように、全体として前方に開放された袋状をなし、前側から順に、フード部１１、ホルダ収容部１２及び電子部品収容部１３が並んで設けられている。この場合に、ハウジング１０は、フード部１１、ホルダ収容部１２及び電子部品収容部１３の順に開口幅が段々小さくなるように形成されている。
【００１４】
ここで、ホルダ３０は、サブアッセンブリ１００の状態で、ハウジング１０内に前方から挿入される。図３に示すように、ホルダ３０がハウジング１０内に正規挿入されると、ホルダ３０の中間部がホルダ収容部１２に収容され、コンデンサ７０が電子部品収容部１３に収容されるようになっている。また、フード部１１には、相手側ハウジング９０が嵌合可能とされている。
【００１５】
図３及び図７に示すように、電子部品収容部１３の内周面には、その上下左右に、前後方向に延出する突条部１４が設けられている。コンデンサ７０が電子部品収容部１３に収容されると、各突条部１４がコンデンサ７０の外周に近接して配置され、電子部品収容部１３内におけるコンデンサ７０の遊動が規制されるようになっている。
【００１６】
図３に示すように、フード部１１の奥壁１６は、ホルダ収容部１２との境界部分を含み、ホルダ収容部１２の前端の開口部１５を区画する奥面１７を有している。図１に示すように、奥壁１６の奥面１７は、フード部１１内で前方を向いて配置され、その上端部に、開口部１５の上縁に連通する挿通孔１８が開口し、その左右両端部に、開口部１５の左右両側縁に連通する圧入孔１９が開口している。
【００１７】
挿通孔１８は、ホルダ収容部１２の上壁を前後方向に貫通して電子部品収容部１３内に連通する形態とされている。挿通孔１８には、ホルダ３０の挿入過程でコンデンサ７０の上端部が通過し、且つ組み付け完了時にはホルダ３０の後述する閉止壁３６が内側に配置されるようになっている。
【００１８】
図３に示すように、奥壁１６の左右両側には、ホルダ収容部１２の外面に肉盛りされた形態の厚肉部２１が設けられている。圧入孔１９は、左右両側の厚肉部２１にそれぞれ上下に対をなして設けられている。図７に示すように、圧入孔１９は、前後方向に延出して後端が厚肉部２１内で閉塞されている。圧入孔１９の上下両面には、前後方向に延出するリブ２２が設けられている。また、厚肉部２１には、圧入孔１９の前部を左右両側に拡幅した形態のスリット孔２３が設けられている。圧入孔１９には、端子５０Ａ、５０Ｂの後述するハウジング圧入部５４が圧入され、スリット孔２３には、端子５０Ａ、５０Ｂの後述する基部５１の左右両端部５７が圧入されるようになっている。
【００１９】
また、図１に示すように、フード部１１の奥壁１６の奥面１７には、その上端部の開口部１５を挟んだ左右両側に、当接受孔２４が開口している。図２に示すように、当接受孔２４は、前後方向に延出して後端が電子部品収容部１３との段差部分で閉塞されている。当接受孔２４の上面は、前後方向に沿って平坦に形成され、ここに端子５０Ａの後述する矯正部５６が当接するようになっている。
【００２０】
端子５０Ａ、５０Ｂは、導電性の金属板材であって、コンデンサ７０の正極と負極に対応する上下夫々のバスバーとして構成されている。具体的には、端子５０Ａ、５０Ｂは、図５に示すように、左右に長い帯板状の基部５１と、基部５１の前縁から並例して前方に突出する複数のタブ部５２と、基部５１の後縁から後方に突出する電子部品接続部５３とからなる。
【００２１】
図２に示すように、上側の端子５０Ａの電子部品接続部５３は、ほぼ水平に配置されている。一方、下側の端子５０Ｂの電子部品接続部５３は、高さ方向に屈曲し、その後部が上側の端子５０Ａの電子部品接続部５３とほぼ同一高さで並ぶように配置されている。
【００２２】
図５に示すように、端子５０Ａ、５０Ｂの電子部品接続部５３の後部には、コンデンサ７０の後述するリード線７２が接続される。また、端子５０Ａ、５０Ｂの電子部品接続部５３の前部は、基部５１とともに、ホルダ３０の後述する端子装着溝３４に圧入されるようになっている。
【００２３】
図５に示すように、基部５１の左右両端部５７の後縁には、ハウジング圧入部５４が後方に突出して設けられている。ハウジング圧入部５４の後端部には、圧入突起５５が拡幅して設けられている。ハウジング圧入部５４が圧入孔１９に圧入されると、圧入突起５５が圧入孔１９の奥端部に係止され、もって端子５０Ａ、５０Ｂがハウジング１０に抜け止め状態で保持されるようになっている。このとき、ハウジング圧入部５４に圧入孔１９のリブ２２が略線接触状に当接することで、圧入力が過大にならずに済み、且つ、圧入状態が良好に維持されるようになっている。
【００２４】
また、図６に示すように、上側の端子５０Ａには、基部５１の前縁の左右両側に、矯正部５６が突出して設けられている。図２及び図４に示すように、矯正部５６は、側面視略Ｕ字形の帯板状をなし、基部５１の前縁から上方に立ち上がったあと後方へ湾曲状に折り返される片持ち状の形態とされている。そして、矯正部５６は、基部５１の前縁を支点として上下方向に弾性変形可能とされている。ホルダ３０がハウジング１０に正規挿入されると、図２に示すように、矯正部５６の上面（上方を向く板面）が当接受孔２４の上面に弾性的に当接し、端子５０Ａの基部５１と当接受孔２４の上面との間が矯正部５６の弾性反力で所定距離だけ離れた状態を維持することができるようになっている。なお、矯正部５６は、下側の端子５０Ｂには設けられていない。
【００２５】
コンデンサ７０は、ここではアルミ電解コンデンサであって、図５に示すように、ほぼ円柱状のコンデンサ本体７１と、コンデンサ本体７１の前面から前方に突出する正負一対のリード線７２とを備えている。両リード線７２は、丸ピン状をなし、幅方向に間隔をあけて同一高さで配置されている。
【００２６】
続いてホルダ３０について説明すると、ホルダ３０は合成樹脂製であって、図４及び図５に示すように、前端部に位置する端子保持部３１と、後端部に位置する電子部品保持部３２と、その間となる中間部に位置する接続領域部３３とからなる。
【００２７】
図６に示すように、端子保持部３１は、略角ブロック状をなし、その前面に、上下一対の端子装着溝３４が開口している。端子装着溝３４は、幅方向に細長いスリット状をなし、ここに前方から端子５０Ａ、５０Ｂの基部５１と電子部品接続部５３の前部が圧入装着される。この場合に、基部５１は、端子保持部３１の内部で当て止めされ、図５に示すように、電子部品接続部５３の後部は、端子装着溝３４を貫通して接続領域部３３に突出して配置される。そして、端子５０Ａ、５０Ｂの基部５１の左右両端部５７が端子保持部３１の左右両側に突出して配置される。また、図６に示すように、端子保持部３１には、上下の端子装着溝３４に連通する縦孔３５が貫通して設けられている。下側の端子５０Ｂの装着過程では、電子部品接続部５３の屈曲部分が縦孔３５内を通過するようになっている。
【００２８】
端子保持部３１の上面の左右中央部には、正面視円弧状の閉止壁３６が起立して設けられている。閉止壁３６の後方への投影領域内には電子部品保持部３２に保持されたコンデンサ７０の上端部が位置している。ここで、コンデンサ７０は、閉止壁３６と端子保持部３１の陰に隠れて正面から見えない状態になっている。
【００２９】
また、図５及び図６に示すように、端子保持部３１の上端部には、閉止壁３６を挟んだ左右両側に、装着凹部３７が設けられている。図２に示すように、装着凹部３７は、端子保持部３１の上面から前面に跨って上側の端子装着溝３４に至る範囲に切欠状に形成されている。端子５０Ａが上側の端子装着溝３４に正規装着されると、矯正部５６が装着凹部３７に進入して配置され、端子保持部３１の前面よりも前方に矯正部５６が大きく突出しないようにされている。また、ホルダ３０がハウジング１０内に正規挿入された状態では、矯正部５６の後端（自由端）が端子保持部３１の上面に当接するようになっている。
【００３０】
図４及び図５に示すように、電子部品保持部３２は、前後方向に沿った円筒状の保持本体部３８を有している。保持本体部３８の前端は、柱状の仕切部３９で左右に仕切られている。保持本体部３８には、後方からコンデンサ本体７１が挿入されて保持される。そして、コンデンサ本体７１が保持本体部３８に保持された状態で、両リード線７２間に仕切部３９が配置され、且つ、両リード線７２の先端部が接続領域部３３に突出して配置される。
【００３１】
図５に示すように、接続領域部３３は、左右で対向する一対の側壁部４１と、両側壁部４１を後端部（電子部品保持部３２に連なる端部）で連結する連結部４２とを有している。両側壁部４１の前端は、端子保持部３１に一体に連結されている。連結部４２は、その上面で電子部品保持部３２に保持されたコンデンサ７０のリード線７２を支持することが可能とされている。接続領域部３３のうち、両側壁部４１、端子保持部３１、電子部品保持部３２で囲まれた空間は、上下方向に貫通しており、この空間に、端子５０Ａ、５０Ｂとリード線７２とを抵抗溶接するための図示しない電極を配置させることができるようになっている。
【００３２】
以上が本実施例のコネクタの構造であり、続いて、組み付け方法などについて説明する。
ホルダ３０の端子保持部３１の端子装着溝３４に、前方から端子５０Ａ、５０Ｂが抜け止め状態で圧入装着される。ホルダ３０に端子５０Ａ、５０Ｂが正規装着されると、基部５１の左右両端部５７が端子保持部３１の左右両側に突出して配置されるとともに、電子部品接続部５３の後部が接続領域部３３に突出して配置され、且つ、矯正部５６が閉止壁３６を挟んだ左右両側の装着凹部３７に進入して端子保持部３１の前端上部に露出して配置される。
【００３３】
また、ホルダ３０の電子部品保持部３２の保持本体部３８に、後方からコンデンサ７０が挿入される。すると、正負一対のリード線７２が接続領域部３３内に突出して対応する端子５０Ａ、５０Ｂの電子部品接続部５３の上面に重なるように配置される。その状態で、端子５０Ａ、５０Ｂの電子部品接続部５３とリード線７２が抵抗溶接して接続される。これにより、図４〜図６に示すように、端子５０Ａ、５０Ｂ、コンデンサ７０及びホルダ３０が一体に組み付けられたサブアッセンブリ１００が得られる。
【００３４】
続いて、ハウジング１０に、前方からホルダ３０（サブアッセンブリ１００）が挿入される。実際には、ハウジング１０はその前端開口を上向きにして立て置かれ、その状態で、ハウジング１０内に、ホルダ３０が電子部品保持部３２を先方に自由落下で落とし込まれる。このとき、コンデンサ７０を保持した電子部品保持部３２はフード部１１から挿通孔１８を通して電子部品収容部１３内に略位置決めして収容され、且つ、端子５０Ａ、５０Ｂを保持した端子保持部３１はフード部１１から開口部１５を通してホルダ収容部１２内に略位置決めして収容される。また、ホルダ３０の正規挿入時には、ハウジング圧入部５４が圧入孔１９に抜け止め状態で圧入される。これにより、端子５０Ａ、５０Ｂがハウジング１０に保持され、ひいてはホルダ３０が端子５０Ａ、５０Ｂを介してハウジング１０に保持される。
【００３５】
さらに、図１及び図２に示すように、ホルダ３０の正規挿入時には、端子５０Ａの矯正部５６が当接受孔２４内に進入して当接受孔２４の上面に弾性的に当接するとともに、矯正部５６の後端が端子保持部３１の上面に弾性的に当接する。これにより、ホルダ３０とハウジング１０との間に矯正部５６が上下方向に弾性的に挟まれた状態になる。
【００３６】
ところで、ホルダ３０がハウジング１０内で前後方向にほぼ沿った水平姿勢をとっていると、端子５０Ａ、５０Ｂの各タブ部５２も水平姿勢となる。このため、ハウジング１０が相手側ハウジング９０と嵌合されると、端子５０Ａ、５０Ｂの各タブ部５２が相手側端子と正規に接続され、両ハウジング１０、９０の嵌合作業を支障なく行うことができる。一方、ホルダ３０がハウジング１０内で前後方向に対して傾斜した傾斜姿勢をとっていると、端子５０Ａ、５０Ｂの各タブ部５２が相手側端子と正対することができず、両ハウジング１０、９０の嵌合作業に支障を来たす可能性がある。
【００３７】
その点、本実施例においては、ホルダ３０がハウジング１０内に挿入された状態で、ホルダ３０とハウジング１０との間におけるホルダ３０の傾きが起こり得る挿通孔１８側の壁面（当接受孔２４の上面）に矯正部５６が内側から当接し、矯正部５６の弾性反力でホルダ３０がホルダ収容部１２内の下面に平坦に押し付けられ、もってホルダ３０の傾きが矯正され、且つ、ホルダ３０が端子５０Ａ、５０Ｂともども水平姿勢となるように設定されている。したがって、両ハウジング１０、９０の嵌合時には、端子５０Ａ、５０Ｂの各タブ部５２が相手側端子と正規に接続される状態が担保される。また、こうして相手側端子に対する端子５０Ａ、５０Ｂのアライメントが一定に維持される結果、製品毎のばらつきが抑えられ、品質を向上させることができる。
【００３８】
しかも、矯正部５６が端子５０Ａの基部５１から突出する弾性変形可能な形態であるため、ホルダ３０とハウジング１０との組み付け誤差を矯正部５６の弾性範囲で吸収することができる。したがって、ホルダ３０及び端子５０Ａ、５０Ｂの水平姿勢を適正に維持することができる。
【００３９】
また、本実施例の場合、矯正部５６が端子５０Ａの左右両側に対をなして設けられ、挿通孔１８を挟んだ左右両側の部分（当接受孔２４の上面）にそれぞれ矯正部５６が当接するため、ハウジング１０に対して端子５０Ａが左右にバランス良く保持され、ひいてはハウジング１０に対してホルダ３０が左右にバランス良く保持される。
【００４０】
＜他の実施例＞
以下、他の実施例を簡単に説明する。
（１）電子部品は、コンデンサに限らず、ダイオード、抵抗、トランジスタなどであってもよい。
（２）端子とハウジングとの間に係止構造（ハウジング圧入部、圧入孔）が設けられず、ハウジングとホルダとの間に係止構造が設けられる構成であってもよい。
（３）ハウジングに、当接受孔などの特別な構造が設けられず、矯正部の当接部分が単にハウジングの一般壁面で構成されるものであってもよい。
（４）ホルダに、装着凹部などの特別な構造が設けられず、矯正部が単にホルダの一般壁面の外側に露出して配置されるものであってもよい。
（５）矯正部は、両端が端子の本体部分に連結された両持ちの形態をなすものであってもよい。
【符号の説明】
【００４１】
１０…ハウジング
１８…挿通孔
２４…当接受孔
３０…ホルダ
３７…装着凹部
５０Ａ、５０Ｂ…端子
５１…基部（本体部分）
５６…矯正部
７０…コンデンサ（電子部品）
１００…サブアッセンブリ
【図１】
0006299649.tif 000002
【図２】
0006299649.tif 000003
【図３】
0006299649.tif 000004
【図４】
0006299649.tif 000005
【図５】
0006299649.tif 000006
【図６】
0006299649.tif 000007
【図７】
0006299649.tif 000008